(57)【要約】【課題】  体積を減少させ、動作が簡単な減衰調整装置を備えたフィットネスマシンを提供する。【解決手段】  ベース２０と、ベース２０上に取り付けられ使用者が動かすことによりその場で回転することができるる抵抗輪３０と、ベース２０に取り付けられ抵抗輪３０に近づいたり或いは離れたりして振ることができる抵抗アーム４０と、一端は抵抗アーム４０のガイド溝４２内に接して設けられ且つそのガイド溝４２に沿って移動することができる移動部品５０と、ベース２０上に取り付けられ移動部品５０を動かし移動させることができ抵抗アーム４０を振らせる駆動装置６０とを備えることを特徴する減衰調整装置を備えたフィットネスマシンである。【選択図】    図１
0003104413.tif 000002
【実用新案登録請求の範囲】
【請求項１】
減衰調整装置を備えたフィットネスマシンであって、
ベースと、抵抗輪と、抵抗アームと、移動部品と、駆動装置とを備え、
抵抗輪は、ベース上に取り付けられ、使用者が動かすことによりその場で回転可能であり、
抵抗アームは、ベースに取り付けられ、前記抵抗輪に近づいたり或いは離れたりして振ることが可能で、前記抵抗アームはガイド溝を有し、且つ前記抵抗アームは前記抵抗輪の一側に相対して磁石セットを有し、
移動部品は、その一端が抵抗アームのガイド溝内に接しており、ガイド溝に沿って移動可能であり、
駆動装置は、ベース上に取り付けられ、前記移動部品を動かし移動させることが可能であり、且つ抵抗アームを振らせることを特徴とする減衰調整装置を備えたフィットネスマシン。
【請求項２】
前記ベースは前記抵抗輪の一側にスライドガイドを備え、前記移動部品は前記スライドガイド内に設けられ、駆動装置の動きを受け前記スライドガイドに沿って移動可能であることを特徴とする請求項１に記載の減衰調整装置を備えたフィットネスマシン。
【請求項３】
前記移動部品ははめこみ部を有し、前記はめこみ部は前記抵抗アームのガイド溝内に設けられ、且つそのガイド溝に沿って移動可能であることを特徴とする請求項１に記載の減衰調整装置を備えたフィットネスマシン。
【請求項４】
前記移動部品はウォームギヤを有し、前記駆動装置は前記ウォームギヤと相互に噛み合っているギヤを有し、前記移動部品を動かし移動させることが可能であることを特徴とする請求項１に記載の減衰調整装置を備えたフィットネスマシン。
【請求項５】
偏圧装置を有し、前記抵抗アームに前記抵抗輪から離れさせる力を提供することを特徴とする請求項１に記載の減衰調整装置を備えたフィットネスマシン。
【請求項６】
減衰装置を備えたフィットネスマシンであり、
ベースと、抵抗輪と、抵抗アームと、移動部品と、駆動装置とを備え、
抵抗輪は、ベース上に取り付けられ、使用者が動かすことによりその場で回転可能であり、
抵抗アームは、ベースに取り付けられ、前記抵抗輪に近づいたり或いは離れたりして振ることが可能で、前記抵抗アームは前記抵抗輪の一側に相対して磁石セットを備え、
移動部品は、その一端は前記抵抗アームに接しており、
駆動装置は、ベース上に取り付けられ、前記移動部品を動かし直線軌跡移動させることが可能であり、且つ抵抗アームを振らせることを特徴とする減衰調整装置を備えたフィットネスマシン。
【請求項７】
前記ベースは前記抵抗輪の一側にスライドガイドを備え、前記移動部品は前記スライドガイド内に設けられ、駆動装置の動きを受け前記スライドガイドに沿って移動可能であることを特徴とする請求項６に記載の減衰調整装置を備えたフィットネスマシン。
【請求項８】
前記移動部品ははめこみ部を有し、前記はめこみ部は前記抵抗アームのガイド溝内に設けられ、且つそのガイド溝に沿って移動可能であることを特徴とする請求項６に記載の減衰調整装置を備えたフィットネスマシン。
【請求項９】
前記移動部品はウォームギヤを有し、前記駆動装置はそのウォームギヤと相互に噛み合っているギヤを有し、前記移動部品を動かし移動可能であることを特徴とする請求項６に記載の減衰調整装置を備えたフィットネスマシン。
【請求項１０】
偏圧装置を有し、前記抵抗アームに前記抵抗輪から離れさせる力を提供することを特徴とする請求項６に記載の減衰調整装置を備えたフィットネスマシン。
【考案の詳細な説明】
【技術分野】
【０００１】
本考案はフィットネス器材に関し、特に一種の減衰調整装置を備えたフィットネスマシンに関するものである。
【背景技術】
【０００２】
多くのフィットネスマシンは抵抗輪を回転させることにより運動目的を達成させる。例えばフィットネスサイクル、仰向けフィットネスサイクル、楕円歩行機などは、抵抗輪の回転抵抗の大小をコントロールすることにより、運動の難易度を調整することが可能であった。
【０００３】
図５を参照する。示したのは一種の従来の減衰調整装置を備えたフィットネスマシン８０であり、そのフィットネスマシン８０は抵抗輪８１を有し、その抵抗輪８１の一側には抵抗アーム８２を有し、その抵抗アーム８２はその抵抗輪８１の一側に相対して磁石セット８３を備えている。その抵抗アーム８２は駆動アーム８４の動きを受けて振られ、その駆動アーム８４の一端はスプリング８５の弾力を受けその抵抗アーム８２を抵抗輪８１から離れ、或いは鋼索８６の動きを受けてその抵抗アーム８２が移動してその抵抗輪８１の位置に近づく。
【０００４】
しかしながら従来の構造は結構複雑であり、構成部品が数多く、且つその抵抗アーム８２を振るためにはその駆動アーム８４の動きが必要であり、その駆動アーム８４は又、そのスプリング８５或いはその鋼索８６の作用を受けて初めて移動でき、各部部品の動作設計は複雑であり、生産過程中の組み立て手順が面倒であった。このほか、そのフィットネスマシン８０は必ずその鋼索８６がその駆動アーム８４を動かし移動する空間を予め確保しておかなければならず、これによりそのフィットネスマシン８０の車体体積が大きくなり、外観デザインにおいても不利であった。
【０００５】
図６を参照する。示したのは一種の従来の減衰調整装置を備えたフィットネスマシン９０であり、本体上には抵抗輪９１、抵抗アーム９２、駆動アーム９３、及び駆動装置９４を有し、その駆動装置はハートカム９５を備えている。その抵抗アーム９２はその駆動アーム９３の動きを受けて振られる。その駆動アーム９３の一端はそのハートカム９５の周縁に保持固定され、これによりそのハートカム９５が回転することで動き、その駆動アーム９３を移動させることが可能になる。よってその抵抗アーム９２をその抵抗輪９１の位置から近づけたり或いは遠ざけたりして振る。
【０００６】
このフィットネスマシン９０も同様に構造が複雑で、部品が数多く、以って動作が複雑であるという欠点のほか、前掲の構造の鋼索８６がそのハートカム９５に取って代わっているが、このフィットネスマシン９０は必ずそのハートカム９５が回転するのに必要な空間を予め確保しておかなければならず、やはり空間を無駄にするという欠点があった。
【考案の開示】
【考案が解決しようとする課題】
【０００７】
本考案の目的は、体積を減少させ、動作が簡単な減衰調整装置を備えたフィットネスマシンを提供することである。
【課題を解決するための手段】
【０００８】
上記の目的を達成するための本考案の減衰調整装置を備えたフィットネスマシンは、以下のものを含む。ベース、そのベース上に取り付けられる抵抗輪であり、使用者が動かすことによりその場で回転することができる。抵抗アームであり、そのベースに取り付けられ、その抵抗輪に近づいたり或いは離れたりして振ることができる。その抵抗アームはガイド溝を有し、且つその抵抗アームはその抵抗輪の一側に相対して磁石セットを備えている。移動部品であり、その一端はその抵抗アームのガイド溝内に接して設けられ、且つそのガイド溝に沿って移動することができる。駆動装置であり、そのベース上に取り付けられ、その移動部品を動かし移動させることができ、その抵抗アームを振らせる。
【考案を実施するための最良の形態】
【０００９】
ここに図を合わせて、本考案の好ましい実施例の構造及び功能に対して詳細に説明する。その中で用いる図について、簡単に説明する。
図１を参照する。本考案の好ましい一実施例による減衰調整装置を備えたフィットネスマシン１０であり、以下のものを含む。
【００１０】
ベース２０であり、支持アーム２１を有し、その支持アーム２１の頂面にはスライドガイド２２が設けられている。
抵抗輪３０であり、そのベース２０の支持アーム２１の一側に取り付けられており、その抵抗輪３０の外周面は金属片層３１で包み覆われている。その抵抗輪３０は使用者が運動することを受けてその場で回転することができる。
【００１１】
抵抗アーム４０であり、その一端はそのベース２０上に取り付けられ、もう一端は抵抗輪３０の周縁にまで伸びており、このほかその抵抗アーム４０はその抵抗輪３０の一側に相対して磁石セット４１を備えており、もう一側にはガイド溝４２を有している。
【００１２】
移動部品５０であり、その一端ははめこみ部５１となっており、もう一端の頂面にはウォームギヤ５２が設置されており、その移動部品５０は直線移動の方式によりそのベース２０の支持アーム２１のスライドガイド２２内に設けられている（図３に示す）。且つそのはめこみ部５１はその抵抗アーム４０のガイド溝４２内にはめこまれ、そのガイド溝４２に沿って移動することができる（図４に示す）。
【００１３】
駆動装置６０であり、駆動源（図中未表示）及びその移動部品５０のウォームギヤ５２と相互に噛み合ったギヤ６１を有している。その駆動源は、モーター（図中未表示）、そのモーターと電気的に接続された減速箱６２、及びその減速箱６２の動きを受け回転することのできるシャフト棒６３を有している。そのギヤ６１はそのシャフト棒６３上に設けられ、駆動源の駆動を受け、予め定められたストローク回転運動をすることができ、この駆動装置６０はその移動部品５０をその支持アーム２１のスライドガイド２２に沿って動かし直線移動させることができる。
【００１４】
偏圧装置であり、図中に示すようにトルクスプリング７０となっており、スプリング部７１と二つの支脚７２とを有している。そのスプリング部７１はその抵抗アーム４０に被せられ、そのベース２０部分に取り付けられている。それぞれのその支脚７２はそれぞれその抵抗アーム４０とそのベース２０とを支えている。その弾力によりその抵抗アーム４０は抵抗輪３０の位置まで押されて振られる。
【００１５】
使用者はこのフィットネスマシン１０を使用して運動を行う際、その抵抗輪３０は動きを受け回転し、その抵抗アーム４０上の磁石セット４１の磁力がその抵抗輪３０外周面の片層３１とお互いに引き寄せられ、抵抗を生み出す。使用者は本考案を利用しその抵抗アーム４０とその抵抗輪３０との距離を調整し、生み出される抵抗の大小を必要にあわせることができる。使用者がこのフィットネスマシンの比較的大きな抵抗を必要とするときは、その駆動装置６０の駆動源を利用しそのギヤ６１を正方向に回転させる。図１を参照する。そのギヤ６１はその移動部品５０を動かしその抵抗輪３０の位置まで移動して近づき、その移動部品５０のはめこみ部５１はその抵抗アーム４０のガイド溝４２下方に寄り、さらにその抵抗アーム４０はその抵抗輪３０の位置まで移動して近づく。よって、その抵抗アーム４０とその抵抗輪３０とは比較的大きな抵抗を生むことができる。使用者が抵抗を弱めたいときは同様にその駆動装置６０のギヤ６１を逆方向に回転させ、その移動部品５０を移動させその抵抗輪３０の位置から離し、そのはめこみ部５１がそのガイド溝４２に沿って移動し、その抵抗アーム４０は移動してその抵抗輪３０の位置から離れる。且つそのスプリング７０の弾力はその移動部品５０と連動してその抵抗アーム４０がその抵抗輪３０から離れるための力量を補助するのに用いられる。（これはすなわちその抵抗輪３０と抵抗アーム４０との間は引き付け合う関係にあるため、その抵抗アーム４０がその抵抗輪３０に近づいているとき、抵抗アーム４０に対してその抵抗輪３０の離れようとする力量が比較的大きくなる。よって駆動動力を節約した場合において、その偏移装置を利用することにより比較的大きな馬力の必要性を省くことを達成できる。）
【００１６】
上述した構造により、本考案は構造が簡単で、構成部品が少ないという長所のほか、その移動部品が直接その抵抗アームを押して移動させ、その偏移装置は直接その抵抗アームとその抵抗輪の磁力を克服する力を提供するため、その抵抗アームの振り子動作を簡潔にし、空間の無駄が減少し、確実に良好な産業上利用性を有している。
【図面の簡単な説明】
【００１７】
【図１】本考案の一実施例による減衰調整装置を備えたフィットネスマシンの抵抗アームが抵抗輪に近づいた状態を示す前面図である。
【図２】本考案の一実施例による減衰調整装置を備えたフィットネスマシンの抵抗アームが抵抗輪から離れた状態を示す前面図である。
【図３】本考案の一実施例による減衰調整装置を備えたフィットネスマシンの移動部品と支持アームとの状態を示す部分断面図である。
【図４】本考案の一実施例による減衰調整装置を備えたフィットネスマシンの移動部品と抵抗アームとの状態を示す部分断面図である。
【図５】従来のフィットネスマシンを示す前面図である。
【図６】別の従来のフィットネスマシンを示す前面図である。
【符号の説明】
【００１８】
１０  フィットネスマシン、２０  ベース、２１  支持アーム、２２  スライドガイド、３０  抵抗輪、３１  片層、４０  抵抗アーム、４１  磁石セット、４２  ガイド溝、５０  移動部品、５１  はめこみ部、５２  ウォームギヤ、  ６０  駆動装置、６１  ギヤ、６２  減速箱、６３  シャフト棒、７０  スプリング、７１  スプリング部、７２  支え足
【図１】
0003104413.tif 000003
【図２】
0003104413.tif 000004
【図３】
0003104413.tif 000005
【図４】
0003104413.tif 000006
【図５】
0003104413.tif 000007
【図６】
0003104413.tif 000008